Podtech/llm-jp-corpus-v4-ja_patent huggingface dataset:
(57)【要約】      （修正有）【課題】搾乳作業者の手元や乳房付近の照明を行い、搾乳作業者が安全且つ効率良く搾乳作業が出来る搾乳ユニットを提供する。【解決手段】家畜の乳房Ｃｎに装着し搾乳を行うための搾乳ユニット３であって、前記搾乳ユニット３には入出口ホースが接続され、前記入出口ホース３ｍの少なくとも１つに、前記乳房を下面から照射する照明装置Ｌを備える。それにより、搾乳作業者Ｈの手元や乳房Ｃｎ付近の照明を行い、搾乳作業者が安全且つ効率良く搾乳作業が出来る搾乳ユニット３。【選択図】図１
2014180263.tif 000002
【特許請求の範囲】
【請求項１】
家畜の乳房に装着し搾乳を行うための搾乳ユニットであって、
前記搾乳ユニットには入出口ホースが接続され、
前記入出口ホースの少なくとも１つに、前記乳房を下面から照射する照明装置を備えることを特徴とする搾乳ユニット。
【発明の詳細な説明】
【技術分野】
【０００１】
本発明は、照明装置を備えた搾乳ユニットに関するものである。
【背景技術】
【０００２】
乳牛の搾乳は、朝晩の薄暗い時間で行われ、搾乳舎に照明はあっても乳牛の影になったりし搾乳作業者の手元は薄暗く、視覚的に良好で快適な作業環境が求められている。
【０００３】
この事態を解決する手段として、例えば、特許文献の図１に記載の照明を備えた畜産用電気加熱マットが存在する。この畜産用電気加熱マットは、マットに内蔵される電気ヒータへの給電コードの途中に照明用の電灯を設け、家畜の採暖と照明が可能な構成となっている。
【先行技術文献】
【特許文献】
【０００４】
実開平０６−４１４５７号公報
【発明の概要】
【発明が解決しようとする課題】
【０００５】
ところが、特許文献に記載された上記の畜産用電気加熱マットには、以下の問題点が存在する。すなわち、この従来の畜産用電気加熱マットは、家畜の一側面遠方からの照明は出来るものの、家畜の影になりうる搾乳作業者の手元や乳房付近の照明はできない。
【０００６】
本発明は、かかる問題点に鑑みてなされたものであり、搾乳作業者の手元や乳房付近の照明を行い、搾乳作業者が安全且つ効率良く搾乳作業が出来る搾乳ユニットを提供することを目的とする。
【課題を解決するための手段】
【０００７】
上記目的を達成すべく請求項１記載の搾乳ユニットは、家畜の乳房に装着し搾乳を行うための搾乳ユニットであって、前記搾乳ユニットには入出口ホースが接続され、前記入出口ホースの少なくとも１つに、前記乳房を下面から照射する照明装置を備えることを特徴とする。
【発明の効果】
【０００８】
本発明の搾乳ユニットによれば、搾乳作業者の手元や乳房の照明をすることが出来るので、薄暗い搾乳環境に於いても、搾乳作業者が安全且つ効率良く搾乳が出来る。
【図面の簡単な説明】
【０００９】
【図１】本発明の実施形態に係る搾乳ユニットの使用状態を示す背面詳細図である。
【図２】本発明の実施形態に係る搾乳ユニットの照明装置を示す詳細図である。
【発明を実施するための形態】
【００１０】
以下、添付図面を参照して、本発明に係る搾乳ユニットの実施の形態について説明する。
【００１１】
先ず話を解り易くするため、ここでは、繋留された乳牛の畜舎内での搾乳を例に説明する。図１は、本発明の実施形態に係る搾乳ユニットの使用状態を示す背面詳細図であり、搾乳ユニットを使用した牛床部１を背面（乳牛Ｃの尻部）からみた模式図である。図１において、畜舎内に配置された牛床部１には、繋留された乳牛Ｃが、乳牛用床マット２の上に起立し、作業者Ｈに搾乳ユニット３を乳房Ｃｎに装着されて搾乳されている状態が示されている。３ｒは搾乳ユニット３用の自動離脱装置、４は搾乳用の配管、５は作業場所、Ｄは畜舎内照明を示す。
【００１２】
図１に於いて、作業者Ｈは、搾乳ユニット３を乳牛Ｃの乳房Ｃｎに装着し搾乳を行うほか、乳房Ｃｎの観察、搾乳前の乳房Ｃｎの清拭、搾乳後の乳房Ｃｎの清拭作業等の一連の搾乳作業を各乳牛に於いて行う。搾乳中は、搾乳ユニット３で搾乳した乳は、ミルクチューブ３ｍを介し、搾乳ユニット自動離脱装置３ｒで乳量や流量等をセンシングし、搾乳配管４へと真空により導かれ、図示しない所定の集乳装置へと送通される。搾乳ユニット自動離脱装置３ｒは、搾乳終了タイミングをセンシングしたならば、搾乳ユニット３を乳房Ｃｎより脱着する。
【００１３】
ここで、牛床部１には、繋留された乳牛Ｃが並列して生活している。作業者Ｈは、乳牛Ｃの側面に隣接した乳牛との間に配置された作業場所５で搾乳作業や乳房観察等の作業を行う。この作業場所５は、せいぜい巾１ｍ程のスペースでしかなく、畜舎内照明Ｄはあっても、乳牛Ｃの影になり乳房Ｃｎが確認しにくく、視覚的な作業効率を上げる方法が必要である。そこで、作業者Ｈが暗闇環境でも視認できるように、乳房Ｃｎを照射する照明装置Ｌをミルクチューブ３ｍに具備した。
【００１４】
その乳房Ｃｎを照射する照明装置Ｌについて説明する。図２は、本発明の搾乳ユニットの照明装置を示す詳細図である。この図では前記で説明したように、作業者Ｈが、搾乳ユニット３のティートカップ部３ｔを作業者の手Ｈｈで操作し、乳房Ｃｎに装着しようとしている状態である。ここで、照明装置Ｌは、搾乳ユニット３と搾乳ユニット自動離脱装置３ｒを送通するミルクチューブ３ｍの搾乳ユニット３近傍に配置している。そのため、図２のように作業者Ｈが乳房Ｃｎにティートカップ部３ｔに作業者の手Ｈｈで装着する際は、照明装置Ｌは、４本の乳房Ｃｎ全体を照射（照射イメージＬｕ）し、作業者Ｈは乳房Ｃｎを視覚的に確認出来るため、安全且つ効率良く搾乳作業が出来る。
【００１５】
また、照明装置Ｌは一例として、図示しない高輝度ＬＥＤなどの電球部と電球部を覆うレンズ部とが一体で構成されており、電源部とスイッチ操作を行う制御部は、搾乳ユニット自動離脱装置３ｒのそれと共用化をしている。そのため、搾乳ユニット自動離脱装置３ｒで搾乳の操作をすると、照明装置Ｌが起動し、搾乳終了タイミングになり搾乳ユニット３が乳房Ｃｎより離脱したならば、照明装置Ｌが停止する。照明として使用しない搾乳中は、照度を落としたり、色やパターンを変えたりと適時決めれば良い。
【００１６】
以上のように、本発明の実施形態に於ける搾乳ユニットによれば、搾乳作業者の手元や乳房の照明をすることが出来るので、薄暗い搾乳環境に於いても、搾乳作業者が安全且つ効率良く搾乳が出来る。
【００１７】
以上、好適実施形態について詳細に説明したが、本発明は、このような実施形態に限定されるものではなく、細部の構成，形状，素材，数量，手法等において、本発明の要旨を逸脱しない範囲で、任意に変更，追加，削除することができる。
【符号の説明】
【００１８】
１  牛床部
２、乳牛用床マット
３  搾乳ユニット
３ｒ  搾乳ユニット自動離脱装置
３ｔ  ティートカップ部
３ｍ  ミルクチューブ
４  搾乳配管
５  作業場所
Ｃ  乳牛  
Ｃｎ  乳房  
Ｄ  畜舎内照明
Ｈ  作業者  
Ｈｈ  作業者の手
Ｌ  照明装置
Ｌｕ  照射イメージ
【図１】
2014180263.tif 000003
【図２】
2014180263.tif 000004
(57)【要約】【課題】  この発明は、胴回りのダイエットがより効果的に出来る様に、定板の上に連動する回転盤を乗せその中に取り付けてある小回転盤に左右の足を乗せ、両足の回転運動で回転盤と共に下半身を左右移動させながら両足の上下前後捻り運動が同時に出来る様にした、体幹の胴回り捻りダイエット運動用器具を提供する。【解決手段】（イ）定板（１）の上に回転盤（２）が連動して動く様に取り付け、回転させながら左右の連動運動が出来る事を特徴とする。（ロ）回転盤（２）の中に小回転盤、（ａ）と（ｂ）を取り付ける事を特徴とする。（ハ）小回転盤（ａ−左足用）と（ｂ−右足用）とはお互い中間歯車（ｃ）の脱着により連動と開放の両方が出来る事を特徴とする。（ニ）定板（１）は前後方向の角度と上下の高さ調整がアタッチメント等により出来る事を特徴とする。（ホ）ガードパイプ（３）を取り付けることを特徴とする。【選択図】図１
2014110868.tif 000002
【特許請求の範囲】
【請求項１】
定板（１）の上に回転盤（２）が回転しながら左右に連動して動く様に取り付け、左右運動が出来る事を特徴とする体幹捻り運動用の定板と回転盤。
【請求項２】
回転盤（２）の中に小回転盤、（ａ）と（ｂ）を設けたことを特徴とする、請求項１の体幹捻り運動用の定板と回転盤。
【請求項３】
小回転盤（ａ−左足用）と（ｂ−右足用）とはお互い中間歯車（ｃ）の脱着により連動と開放の両方が出来る事を特徴とする、請求項２の体幹捻り運動用の定板と回転盤。
【請求項４】
定板（１）は前後方向の角度と上下の高さがアタッチメント等により調整出来る事を特徴とする、請求項１の体幹捻り運動用の定板と回転盤。
【請求項５】
ガードパイプ（３）とアタッチメントを設けた事を特徴とする、請求項１の体幹捻り運動用の定板と回転盤。
【発明の詳細な説明】
【技術分野】
【０００１】  この発明は、胴回りのダイエットがより効果的に出来る様に、前後に傾斜した定板の上に回転盤を乗せ、その中に取り付けてある小回転盤に左右の足を乗せて、両足の回転運動で連動した回転盤を左右移動させながら下半身の上下前後捻り運動が同時に出来る様にした，体幹の胴回り捻り運動用器具に関する物である。
【背景技術】
【０００２】従来、前後のみ又は左右のみの単独足用等運動器具は多くあるけれど、体幹捻りダイエット運動用の下半身と両足が左右上下前後運動を同時に出来る器具は少ない。
【先行技術文献】
【０００３】
【特許文献１】
【非特許文献１】
【発明の概要】
【発明が解決しようとする課題】
【０００４】次のような欠点があった。
（イ）従来、足用の単独運動をする器具等は多く、筋力トレーニング等には適している    と思われるが、捻り運動等で胴周りをダイエットしたいと思うのに適当な捻り運動用    器具が少なく、運動が限られていた。
本発明は、以上のような問題点を解決するために発明されたものである。
【課題を解決するための手段】
【０００５】  （イ）定板（１）の上に回転盤（２）が回転しながら左右に連動して動く様に取り付け        た、左右連動運動が出来る物である。
（ロ）回転盤（２）の中に小回転盤、（ａ）と（ｂ）を取り付ける。
（ハ）小回転盤（ａ−左足用）と（ｂ−右足用）とはお互い中間歯車（ｃ）の脱着によ        り連動と開放の両方が出来るものである。
（ニ）定板（１）は前後方向の角度と上下の高さ調整が、アタッチメント等により出来        る物である。
（ホ）ガードパイプ（３）を取り付ける。
本発明は以上の構成により体の下半身と両足の左右上下前後捻り運動が同時に出来る、  体幹捻り胴回りダイエット運動用の定板と回転盤である。
【発明の効果】
【０００６】  （イ）従来単独運動用等の器具は多かったが、本発明の胴回り捻り運動が主体の器具に    より肥満体質の多い現代においては、少しでも手軽な捻り運動用器具で胴回りダイエ    ットがしやすくなり、より健康増進が図られるものである。
【図面の簡単な説明】
【０００７】
【図１】  本発明の斜視図である。
【図２】  本発明の平面図である
【図３】  本発明の側面図である。
【発明を実施するための形態】
【０００８】以下、本発明の実施の形態について説明する。
定板（１）の上に左右に連動する回転盤（２）を乗せる。乗せた回転盤（２）の中の小  回転盤（ａ）の上に左足を，小回転盤（ｂ）の上には右足を乗せて、回転盤（２）を左  右に動かす回転運動をする事により、下半身が左右運動をしながら同時に左右の足が上  下前後に動き、捻り運動を併せてするものである。
上半身は両手でガードパイプ（３）を握り固定させて、下半身と両足の左右上下前後捻り運動により，体幹の胴回り捻りダイエット運動をなす物である。
又、下半身の不自由な方には定板（１）をアタッチメント等でテーブル位の高さにセットし、家庭にある椅子を使用し座った状態で小回転盤（ａ）に左手を、小回転盤（ｂ）に右手を乗せて回転盤（２）を手で左右の運動動作をすれば、上下前後動作が同時にでき下半身は動かす事無く、上半身で足の時と同じ様な捻り胴回りダイエット運動が出来るものである。
【符号の説明】
【０００９】  １  定板
２  回転盤
３  ガードパイプ
ａ  小回転盤−左足用  （左手用）
ｂ  小回転盤−右足用  （右手用）
ｃ  中間歯車
【図１】
2014110868.tif 000003
【図２】
2014110868.tif 000004
【図３】
2014110868.tif 000005
(57)【要約】      （修正有）【課題】重力と磁石の斥力の特性を利用して永遠に回転を続ける、必要に応じ停止できる回転機関を提供する。【解決手段】回転盤１最下部の回転磁石２が固定磁石３の斥力により回転盤１の円周に沿って固定磁石３から遠ざかるように回転磁石２が移動回転する。回転盤１が回転することで次の回転磁石２が回転盤１の最下部へ移動し、最下部に移動した回転磁石２はストッパーガイド６からはずれ次の回転運動が起き永遠に回転する。【選択図】図１
2014110752.tif 000002
【特許請求の範囲】
【請求項１】
回転盤の最下部にある回転磁石へ固定磁石を近づけることで固定磁石と回転磁石の斥力が発生し回転磁石を固定磁石から離れる様に回転磁石が移動する構造を有する装置。
【請求項２】
回転磁石が最下部へ位置でストッパーガイドからはずれ固定磁石の斥力影響範囲へ落下する構造を有する装置。
【請求項３】
回転磁石が上部へ移動したときにスライド板とバランスウェイトが重力のより回転盤の中心へ移動する構造を有する装置。
【請求項４】
固定磁石を回転磁石から遠ざけることにより回転を停止できる構造を有する装置。
【発明の詳細な説明】
【技術分野】
【０００１】  本発明は、重力と磁石の斥力の特性を利用して永遠に回転を続ける、また必要に応じて停止することのできる回転機関に関するものである。
【背景技術】
【０００２】  従来の技術では磁石の引力及び斥力を交互に使用するかまたは電気を利用および機械的に制御し重力や引力をエネルギーとして取り出すもの重力と磁力を組み合わせてエネルギーとして取り出すものがある。
【発明の概要】
【発明が解決しようとする課題】
【０００３】  しかしながら、従来の技術では、エネルギーとして有効利用できる装置より制御装置等を含めた場合、非常に煩雑になり装置自体も大掛かりとなる、また発生した電力を装置の制御に使用するため有効利用できるエネルギーが少なくなる、また、慣性力を利用したものもあるが停止した場合初動回転に必要なエネルギーを与えなければ有効に電力を取り出すことが出来ないため常に回転させなければならない、また斥力引力と重力を利用しエネルギーとして取り出す装置等もあるが必要の無いときも電力を発生するため非常に危険な状態になる、本発明はこのような従来の装置の有する問題を解決することを課題とする。
【課題を解決するための手段】
【０００４】  本発明は永久磁石の斥力と重力を利用し、回転盤最下部の回転磁石が固定磁石の斥力により回転盤の円周に沿って固定磁石から遠ざかるように移動する、次の回転磁石が回転盤の最下部となる、最下部に移動した回転磁石はストッパーガイドからはずれ落下する、落下した回転磁石は固定磁石と回転磁石の斥力により回転盤の円周に沿って固定磁石から遠ざかるように移動し次々と回転を繰り返す、次の円周に沿って移動した回転磁石は回転盤の上部へ押し上げられる、上部へ押し上げられた回転磁石は回転盤の最長部へ移動し最長部へ移動した回転磁石は重力によりバランスウェイトとスライド板によって回転盤の中心方向へ移動し回転盤の下方へ向かい回転する、下方へ移動した回転磁石はストッパーガイドによって回転盤の円周に沿って回転盤の最下部まで落下しないように抑えられた状態で回転盤最下部まで移動する、最下部へ移動した回転磁石は、ストッパーガイドからはずれ落下し同じ動作を繰り返す、以上のこと繰り返し永遠に回転するものである。
固定磁石を回転磁石から遠ざけることにより回転磁石は回転を停止する。
【発明の効果】
【０００５】  本発明により従来の技術では必要な制御部分が無くなり、重力と磁石の斥力を組み合わせることで、回転磁石を自在に回転、停止を行ことが出来る、クリーンで安全なエネルギーを永久に使用できる、またガイド兼コイル芯を機械的に切断することでガイド兼コイル芯のＳ−Ｎ極が入れ替わるためエネルギーを電気として取り出す場合も有効である。
【図面の簡単な説明】
【０００６】
【図１】本発明の実施形態を示す正面図である。
【図２】本発明の側面図である。
【図３】本発明の回転磁石のガイド兼コイルを設けた正面図である。
【図４】本発明のガイド兼コイルの側面図である。
【符号の説明】
【００７】１は回転盤
２は回転磁石
３は固定磁石
４はバランスウェイト
５はスライドするためのスペース
６は回転磁石ストッパーガイド
７は重力の働く方向を表す
８はスライド板
９は回転する前の固定磁石の位置を表す
１０は磁石の斥力の方向を表す
１１は回転磁石のガイド兼コイル芯
【図１】
2014110752.tif 000003
【図２】
2014110752.tif 000004
【図３】
2014110752.tif 000005
【図４】
2014110752.tif 000006
(57)【要約】【課題】一筐体内で回転灯と全体を表示する表示灯を兼ねる表示機器を実現する。【解決手段】一筐体内で複数の光源を各ブロックに分け、ブロック毎に光の回り込みを遮断する仕切板を設け、ブロック毎に順次点灯させることで回転灯とし、全てのブロックを点灯させることで全体を表示する表示灯とする。【選択図】図３
2014110080.tif 000002
【特許請求の範囲】
【請求項１】
一筐体内に複数の光源を配置し、光を遮断する仕切板で各ブロックに前記光源を分け、ブロック毎に順次点灯させることで回転灯とし、全てのブロックを点灯させることで全体を表示する表示灯とする表示機器。
【発明の詳細な説明】
【技術分野】
【０００１】
本発明は、状態を示す表示灯と注意を促す回転灯を兼ねる表示機器に関するものである。
【背景技術】
【０００２】
従来、筐体全体が光る表示灯の場合、筐体内部の全体に光源を配置して全てを光らせる構成のものがあり、回転灯の場合、筐体内部の外周部に光源を配置して順番に光源を光らせて回転灯に見せる構成のものがあった。
【０００３】
また、一台で表示灯と回転灯を両立しているものは、電飾看板の様に中央の筐体で全体が光る表示灯とし、その周囲に回転灯を別筐体として配置し、光源を順次点灯させることで回転している様に見せている構成のものがあった。
【発明の概要】
【発明が解決しようとする課題】
【０００４】
表示灯と回転灯とを両立するために２種類の光源及び個別筐体を使用する構成ではデザイン性の制限や部品点数が多くコストメリットが低下する。また、一筐体内で回転灯と表示灯を両立させるために、図１に示すように全体表示灯の外周部の光源１を使用すれば回転灯として見せられるものの、筐体内部で回転灯の光が全体に漏れて全体も薄く光り回転灯としての効果が少なくなる。それを補うために図２のように回転灯の周囲に反射板３を設けて側面を光るようにすると、その光源２は側面に向けては光るが他方向に光らず、その結果、全体が光らなくなり全体表示灯として使用できなくなる。
【課題を解決するための手段】
【０００５】
上記課題を解決するため、本発明は一筐体内で複数の光源を各ブロックに分け、ブロック毎に光の回り込みを遮断する仕切板を設け、ブロック毎に順次点灯させることで回転灯とし、全てのブロックを点灯させることで全体を表示する表示灯とする。
【発明の効果】
【０００６】
本発明により一筐体内で仕切りをブロック毎に設けることにより、光源を順次点灯させる場合には光源からの光が周囲に漏れず、部分的に鮮明に光らせることができる。また、光源を全て点灯する場合には、全体を均一に光らせることができる。さらに、回転灯と全体を表示する表示灯の光源を共通にできコストダウンも可能となる。
【図面の簡単な説明】
【０００７】
【図１】本発明の解決しようとする課題の状態を示した図である。
【図２】本発明の解決しようとする課題の状態を示した図である。
【図３】本発明の実施形態の構成を示した図である。
【発明を実施するための形態】
【０００８】
図３は本発明の実施形態の構成を示した図である。
本体４上に複数の光源５を配置し、光を遮断する仕切り板６で各ブロックに光源を分け、各ブロックは光源５を光らせた場合の明るさを同一にしておき、光を透過する材料を用いたカバー７は仕切り板６と接触して本体４を覆うようにする。
【０００９】
この構成にすることにより、ブロック毎に順次点灯させることで回転灯として使用でき、全てのブロックを点灯させることで全体を表示する表示灯として使用できる。
【符号の説明】
【００１０】
１・・・光源
２・・・光源
３・・・反射鏡
４・・・本体
５・・・光源
６・・・仕切板
７・・・カバー
【図１】
2014110080.tif 000003
【図２】
2014110080.tif 000004
【図３】
2014110080.tif 000005
(57)【要約】【課題】巻ペーパーホルダーにおいて，巻ペーパーの取り出しがスムーズに行える巻ペーパーホルダーを提供する。【解決手段】巻ペーパーを，軸棒４を介して保持し，その上部に設けられたペーパーカバー５とから成る巻ペーパーホルダー１において，ペーパーカバー５先端部の裏面に巻ペーパーとの間隙を作るスペーサーＳを取り付ける．【選択図】図１
2014012112.tif 000002
【特許請求の範囲】
【請求項１】
巻ペーパーを軸棒を介して保持し、その上部に設けられたペーパーカバーとから成る    巻ペーパーホルダーにおいて、ペーパーカバー裏側に巻ペーパーとの間隙のスペーサ    ーを取り付けたことを特徴とする巻ペーパーホルダー．
【請求項２】
請求項１に記載された巻ペーパーホルダーにおいて、巻ペーパーはトイレットペーパーであるホルダー．
【請求項３】
請求項２に記載された巻ペーパーホルダーにおいて，スペーサーは，断面が，三角形や半楕円形などの，ペーパーカバーに接着する底面と，巻ペーパーに接する頂点を持つ形状であることを特徴とする巻ペーパーホルダー．
【発明の詳細な説明】
【技術分野】
【０００１】  この発明は，連続して巻回された巻ペーパーを収納保持するペーパーホルダーと一体，またはペーパーホルダーに後付けされて，ペーパーホルダーから繰り出された巻ペーパーを切断する巻ペーパーカバーに係わり，特に，巻ペーパーの取り出しが容易にでき，且つ，次回取り出し時のつまみ代を確実に残らせることができる巻ペーパーカバーに関するものである．
【背景技術】
【０００２】      図４，及び図５に示す通り，従来から，トイレの壁面などに固定する背板２と，この背板の両端に前向きに設けた（２枚）の側板３の間に，巻ペーパーを，軸棒４を介して保持し，その上部に設けられたペーパーカバー５とから成る巻ペーパーホルダー１があり，特にペーパーカバーは巻ペーパーホルダーの上部に支軸７を介して設けられ，装填された巻ペーパーに覆い被さるように取り付けられ，ペーパーをカットする役割を兼ねたものが多く，その形状は先端部が湾曲した板状に作られており，この先端部のペーパーカッター６にて巻ペーパーを押圧した状態でカットするようにされている．
【先行技術文献】
【特許文献】
【０００３】
【特許文献１】特開平０７−１２４０６８
【発明の概要】
【発明が解決しようとする課題】
【０００４】      しかしながら，以上の技術によれば，従来の巻ペーパーホルダーには下記のような  問題点がある．
（１）    次回に使用する際に，ペーパー端部を取り出し難い．特に高齢者や目の不              自由な人には，カバーを持ち上げることが困難であったり，ペーパー端部              がどこにあるか分かり難かったりする．そのため，次回に使用する際のた              めに，ペーパーの中央部を三角状に折りペーパー取り出し片を形成して使              用する場合があるが不衛生である．
（２）    特許文献１の技術は，トイレットペーパーカバーへの取り付けが煩雑なほ              か，高価になる難点があった．【０００５】      そこで，この発明は，より簡便に巻ペーパーの取り出し安さを向上させることを課  題とする．
【課題を解決するための手段】
【０００６】      以上の課題を解決するために，請求項１に記載の発明は，巻ペーパーを，軸棒４を  介して保持し，その上部に設けられたペーパーカバー５とから成る巻ペーパーホルダー  １において，ペーパーカバー５先端部の裏面に巻ペーパーとの間隙を作るスペーサーＳ  を取り付けることを特徴とする巻ペーパーホルダーである．（図１）
【発明の効果】
【０００７】      巻ペーパーをトイレットペーパーとして具体的に説明する．
請求項１に記載の発明によれば，トイレットペーパーを切断した際，トイレットペ  ーパ表面からカバー先端のカッター部までの間隙分のトイレットペーパーがカバー先端  よりも下に垂れた状態となるため，次にトイレットペーパーを繰り出すときに取り出し  安くなる．
【図面の簡単な説明】
【０００８】
【図１】本発明に係る巻ペーパーホルダーの斜視図である．
【図２】本発明にかかわる巻ペーパーホルダーの側面図である．
【図３】本発明に関わる巻ペーパーホルダーの使用状態を示す側面図である．
【図４】一般的なトイレットペーパーホルダーの斜視図である．
【図５】一般的なトイレットペーパーホルダーの側面図である．
【発明を実施するための形態】
【０００９】    この発明の一実施形態を，図１，２に示す．
【００１０】    「実施形態の効果」
この実施形態によれば，図１，及び図２のようにトイレ室内の壁面に取り付ける背板２，ロール状のトイレットペーパーＰを回転自在に保持可能とする一対の側板３，先端にペーパーカッター６を有するペーパーカバー５それぞれからなるペーパーホルダー１のペーパーカバー５の裏にスペーサーＳを設ける．図２において，図２ａはトイレットペーパーの残量が多い状態，図２ｂは残量が少ない状態を示しており，スペーサーＳによりトイレットペーパーＰとペーパーカバー５との間隙を確実に設けるため，トイレットペーパーの残量が少なくなった状態図２ｂにおいて，スペーサーＳの頂点Ｓａは軸棒４に接する位置に設けることが望ましい．
次に本実施例の使用方法と作用について説明する．図３ａに示すようにトイレットペーパーＰを引き出し，ペーパー先端部Ｐａをペーパーカッター６で切断する．切断後のペーパー先端部Ｐａは図３ｂに示す通り，トイレットペーパーとペーパーカッター間に設置されたスペーサーＳの分の長さだけ垂れさがるため，次回トイレットペーパーを使用する際に取り出し安くなる．
【符号の説明】
【００１１】    １  トイレットペーパーホルダー
２  背板
３  側板
４  軸棒
５  ペーパーカバー
６  ペーパーカッター
７  支軸
Ｐ  トイレットペーパー
Ｐａ  トイレットペーパー先端部
Ｓ  スペーサー
Ｓａ  スペーサーの頂点
【図１】
2014012112.tif 000003
【図２】
2014012112.tif 000004
【図３】
2014012112.tif 000005
【図４】
2014012112.tif 000006
【図５】
2014012112.tif 000007
(57)【要約】      （修正有）【課題】睡眠時に頭部および首を安定させバス等の揺れによる不快感を軽減する枕を提供する。【解決手段】枕の後部に横方向にベルト又は固定ネットを装着して、座席に固定し、バスの揺れに頭部を順応させることにより首の不快感をなくし、眠りをスムースにする。側面の枕部分を厚くし横向きに寝ること可能にする。【選択図】図−１
2014012111.tif 000002
【特許請求の範囲】
従来、携行用として空気枕等が市販されていたが、これらは単に頭等の重荷を軽減させる為の首の補助的な役割をはたすものであるが、必ずしも首の負担を軽減させるものでは無く、かえってこれをつけて寝ると車の移動に連れて枕も移動し、使用中首の傾きや移動を防げず、かえってくたびれる原因となる。しかも快適な睡眠を保証する枕ではなかった。
夜行バス等では大抵一晩中バスに揺られているので、枕が固定したものでなくてはならず、しかもバスのなかで快適な睡眠を保つため、柔らかくて弾力のある素材を使った枕が必要であり、しかも首を保護し固定したものが安全かつ大切である。
【発明の詳細な説明】
【発明の詳細な説明】
この発明の説明の詳細は次のとおりである。
１．枕を固定する為のベルトを装着したこと。
２．夜行バス車内での睡眠は、少し首を傾け横向きになることが多くそのため側面から首と頭を安定的に保護する構造としたこと。
３．ベルトは着脱可能なものとし、いつでも取り外しが可能である。
４．枕を固定するためのベルトは、座席に固定されるものであれば、いかなる形態のものでも良く。材質強度形状にこだわらず、頭を支えるに十分な強度を持ちベルトでなく、座席にかぶせる網状のものでも良い。
５．枕の形状は頭を安定的に保護し、睡眠を快適に維持できる側面を厚みのある構造に１した。（図参照）
【図−１】
2014012111.tif 000003
【図−２】
2014012111.tif 000004
【図−３】
2014012111.tif 000005
【図−４】
2014012111.tif 000006
【手続補正書】
【提出日】平成24年8月29日(2012.8.29)
【手続補正２】
【補正対象書類名】明細書
【補正対象項目名】全文
【補正方法】変更
【補正の内容】
【発明の詳細な説明】
【発明の詳細な説明】
この発明の詳細な説明は次のとおりである。
１．枕を固定する為のベルトを装着したこと。
２．夜行バス車内での睡眠は、少し首を傾け横向きになることが多く、そのため側面から頭を支え、首を安定的に保護する十分な厚みのある枕の構造とした。
３．ベルトは着脱可能なものとし、いつでも取り外しが可能である。
４．枕を固定するためのベルトは、座席に固定されるものであれば、いかなる形態のものでも良く、材質強度形状にこだわらず、頭を支えるに十分な強度を持ち、ベルトではなく座席にかぶせる網状のものでも良い。
５．枕の形状は、従来から市販されている、首にだけつける睡眠用枕とは違い、首にかかる重圧を無くし、首から肩及び頭部を枕でカバーして、頭部の重みを支えられる構造とした。
６．後部に装置した２つの通し穴状の止め具は、ベルトを枕に固定する為のもので、ボタンをつけてベルトを着脱可能にしている。これに装着するベルトは左右に余裕を持たせて幅が太くなっておりベルトが太くなった所では、枕がそれ以上動かない構造としている。これは睡眠時の頭部の傾きに応じて枕が少しの範囲内で動くことを可能としている。（図参照）
【図面の簡単な説明】
【０００１】
【図−１】前面図  車内睡眠用安楽枕を正面から見た図
【図−２】斜め横図  車内睡眠用安楽枕を斜め右横から見た図
【図−３】横図  車内睡眠用安楽枕を側面から見た図
【図−４】後ベルト図  車内睡眠用安楽枕の後部の図。ベルトは二本の通し穴状の固定枠によって車内睡眠用安楽枕に固定されている。
(57)【要約】【課題】 幼児のトイレ使用時に、スカートの裾汚れ及び飛沫汚れを容易に防止する。【解決手段】 前記ボディースーツ５の係止手段と対になる係止手段を有するベルト２をボディースーツに装着し、装着した前記ベルト２を肩に担ぎ、前記ボディースーツ５の前側布部６1及び後側布部６2がめくり上がることでスカートを巻き込み、スカート及びスカートの裾を高い位置に保持することでスカートの裾汚れ及び飛沫汚れを防止することを特徴とする。【選択図】  図３
2014012911.tif 000002
【特許請求の範囲】
【請求項１】
股間の係止手段を着脱することで脱ぎ着するボディースーツの前記係止手段に接続して使用するベルトであって、両端に前記係止手段に接続する対となる係止手段を有しており、前記ボディースーツに接続した前記ベルトを肩に担ぎ、前記ボディースーツの前側布部及び後側布部がめくり上がることでスカートを巻き込み、これを特徴とするボディースーツ装着ベルト。
【請求項２】
前記ベルトは伸縮性を有するか、又は伸縮可能な調整手段を有することを特徴とする請求項１に記載したボディースーツ装着ベルト。
【請求項３】
前記係止手段はボタンとボタン穴、綿状テープ、又はスナップボタンであり、ボディースーツの係止手段と同一のものであることを特徴とする請求項１または２に記載したボディースーツ装着ベルト。
【請求項４】
前記ボディースーツの係止手段に装着し、肩に担いで使用することを特徴とする請求項１、２、または３に記載したボディースーツ装着ベルト。
【発明の詳細な説明】
【技術分野】
【０００１】
本発明は幼児のトイレ使用時に、スカートの裾汚れ及び飛沫汚れを防止するためのボディースーツ装着ベルトとその使用方法に関するものである。
【背景技術】
【０００２】
従来、幼児がトイレを使用する場合、スカートを膝まで下げて用を足さなければならない。この場合、スカートの裾が床に着いたり、排尿または飛沫によりスカートが汚れてしまう。
【０００３】
これを防ぐために、膝まで下ろしたスカートにカバーをする技術がある（特許文献１）。
【先行技術文献】
【特許文献】
【０００４】
【特許文献１】特許公開２００２−３１７３０５
【発明の概要】
【発明が解決しようとする課題】
【０００５】
上記特許文献１に開示された発明は、幼児には煩雑である上、カバー自体が汚れてしまうという問題がある。
【０００６】
本発明は、幼児のトイレ使用時において、スカートの裾汚れ及び飛沫汚れを容易に防ぐためのものである。
【課題を解決するための手段】
【０００７】
股間の係止手段を着脱することで脱ぎ着するボディースーツの前記係止手段に接続して使用するベルトであって、両端に前記係止手段に接続する対となる係止手段を有しており、前記ボディースーツに接続した前記ベルトを肩に担ぎ、前記ボディースーツの前側布部及び後側布部がめくり上がることでスカートを巻き込み、スカート及びスカートの裾を高い位置に保持することができ、これを特徴とするボディースーツ装着ベルトである。
【０００８】
また、上述したボディースーツ装着ベルトにおいて、前記ベルトは伸縮性を有したものか、又は伸縮可能な調整手段を有したものとすることで、身長の異なる幼児に使用することが出来る。
【０００９】
さらに、上述したボディースーツ装着ベルトにおいて、前記係止手段はボタンとボタン穴、綿状テープ、又はスナップボタンであり、前記ボディースーツの係止手段と同一のものとすることで、前記ベルトとボディースーツを接続することが出来る。
【００１０】
さらにまた、上述したボディースーツ装着ベルトにおいて、前記ボディースーツの係止手段に装着し、肩に担ぐことでスカートを巻き込み、スカート及びスカートの裾を高い位置に保持することが出来る。
【発明の効果】
【００１１】
本発明は、ボディースーツにベルトを装着し、ベルトを肩に担いで使用するだけで、トイレ使用時のスカートの裾汚れ及び飛沫汚れを防止することが可能である。
【図面の簡単な説明】
【００１２】
【図１】本件発明のベルト構成図
【図２】ボディースーツの概略図
【図３】本件発明のベルト装着図１
【図４】本件発明のベルト装着図２
【図５】本件発明のベルト装着図３
【図６】本件発明のベルト装着図４
【発明を実施するための形態】
【００１３】
以下に添付図面を参照して、本発明に係るボディースーツ装着ベルトの実施形態を詳細に説明する。図1は、本実施形態に係るボディースーツ装着ベルトの全体構成を示す図である。
【００１４】
ボディースーツ装着ベルト１は、図１に示すように、ベルト２と、その両端に配された一対の係止具３1、３2とから構成されている。
【００１５】
図２は、本実施形態に係るボディースーツの全体構成を示す図である。
【００１６】
図３、４、５は、本実施形態に係るトイレ使用時におけるボディースーツ装着ベルトの使用状態を示す説明図である。
【００１７】
ボディースーツ装着ベルトの使用方法は、図３に示すように、ベルト２の一端にある係止具３1をボディースーツ５の前側係止具３aに装着する。次にベルト２を後方へ持っていき、もう一端にある係止具３2をボディースーツ５の後側係止具３cに装着する。
【００１８】
最後に図４に示すように、ボディースーツ５に装着してあるベルト２を肩に担ぐ。このとき、ボディースーツ５の前側布部６1と後側布部６2がめくり上がることでスカートを巻き込み、スカート及びスカートの裾を高い位置に保持出来るので、スカートの裾汚れ及び飛沫汚れを防ぐことができる。
【００１９】
図６はボディースーツ装着ベルト１を２本を使用した場合の図である。装着方法は上述のベルト装着を左右対称に行う。こうすることでベルト１本を使用した場合におけるベルトを装着していない側のスカートも高い位置に保持することが可能であり、ベルト１本より確実に裾汚れ及び飛沫汚れを防止することが可能である。
【産業上の利用可能性】
【００２０】
本件発明のボディースーツ装着ベルトは、スカートの吊り下げ紐、バッグの肩紐、スカートやズボン等のベルトとしても使用可能である。
【符号の説明】
【００２１】
１  ボディースーツ装着ベルト
２  ベルト
３1  係止具
３2  係止具
３a  係止具
３b  係止具
５  ボディースーツ
６1  前側布部
６2  後側布部
７  スカート
【図１】
2014012911.tif 000003
【図２】
2014012911.tif 000004
【図３】
2014012911.tif 000005
【図４】
2014012911.tif 000006
【図５】
2014012911.tif 000007
【図６】
2014012911.tif 000008
(57)【要約】      （修正有）【課題】雨の日に自動車等に乗降する際、傘をさし、たたむまでの間、雨に濡れるのを防止する。【解決手段】シート伸縮口と、強化強力マグネットと、ゼンマイ等による自動伸縮装置と、ドア側に展開（伸張）可能な防雨水シートと、で構成される。ドア側シート固定用マグネットは、車両本体側のものより細長く、シート巻き込み芯はドアヒンジ側を小さく外側を大きくした円垂形の棒で構成される。自動車用ドアを開けた時、車輛本体と車輛用ドアとの間に生じる間隙に防雨水シートを展開（伸張）することにより、降雨を防止する。【選択図】図１
2014012507.tif 000002
【特許請求の範囲】
【請求項１】
自動車ドア用防雨水シ−ト
【発明の詳細な説明】
【技術分野】
【０００１】自動車用部品等製造技術分野
【背景技術】自動車用部品等製造技術【０００２】
【先行技術文献】
【特許文献】
【０００３】
【特許文献１】
【特許文献２】
【非特許文献】
【０００４】
【非特許文献１】
【非特許文献２】
【発明の概要】
自動車等に乗降する際に傘をさし、または、閉じるまでの間、雨に濡れるのを防止する為、自動車等のドアと車輌本体との間に生じる間隙に着脱可能な防雨水シ−トを取り付ける。
【発明が解決しようとする課題】自動車等に乗降する際に雨に濡れるのを防止する
【課題を解決するための手段】自動車等のドアと車輌本体の間隙部分に雨濡れ防止の為のシ−トを取り付け此れ展張する
【発明の効果】自動車等に乗降する際に雨に濡れ車内への雨水の持込みが、かなり軽減され気分的にもうっとうしさから解放される
【図面の簡単な説明】
【図１】車輌本体と車輌用ドアとの間隙部分による雨濡れを防止するために用いる防雨水シ−ト
【図２】車輌本体と車輌用ドアとの間隙部分による雨濡れを防止するために用いる防雨水シ−ト
【発明を実施するための形態】
自動車等の部分品を製造する技術により製造された雨水濡れ防止用のシートを使用
【実施例】現況に於いては世界中の車に其の例を見た事は無い
【産業上の利用可能性】自動車等の部分品を製造する企業において着目され一般社会に於けるニ−ズも高いものと思考される
【符号の説明】１、強化マグネットを内蔵したドア用防雨水シ−ト本体
２、シ−トを伸縮させるために用いる自動伸縮装置、ゼンマイ等
３、防雨水シ−トを車輌両用ドアと車輛本体との間隙部分に装着した時の状態
【受託番号】
【・・・・】
【図１】
2014012507.tif 000003
【図２】
2014012507.tif 000004
(57)【要約】【課題】射出成型機用油圧ポンプ制御においては、油圧シリンダーストロークエンドにおいて急激な圧力上昇が発生し、射出量の変化や、射出機械の寿命に影響を与えていた。また、油圧偏差に応じて制御を切り替える方式では、ストロークエンドの判定が困難であり油圧制御器の調整が困難であった。【解決手段】射出成型機用油圧制御器において、油圧シリンダーストロークエンドにおいて急激な圧力上昇の微分値を取得しこれを圧力制御器の入力に加算する事で自動的に圧力上昇を抑制する事が可能となった。また、微分器の後に比較器を設け、通常の制御圧力の上昇や、圧力減少時にはこの微分値を圧力制御器に入力しない様にすることで良好な油圧制御を提供することができる。【選択図】図１
2014012377.tif 000002
【特許請求の範囲】
【請求項１】
射出成型機用油圧ポンプ制御において、油圧フィードバックの微分値を圧力制御器の入力に加算し、油圧シリーダーストロークエンドでの油圧オーバーシュートを無くすことを特徴とする射出成型機用油圧ポンプ制御装置。
【請求項２】
前記圧力制御器において油圧フードバック微分値に閾値を設け、この閾値を超えた値のみを圧力制御器の入力に加算することで安定した動作を得ることを特徴とする請求項１記載の射出成型機用油圧ポンプ制御装置。
【発明の詳細な説明】
【技術分野】
【０００１】
本発明は、射出成型機用油圧ポンプ制御装置に関する。
【背景技術】
【０００２】
油圧シリンダーストロークエンドで、油量によっては大きく油圧がオーバーシュートし、射出機の射出量や、射出機械の寿命に影響を与えていた。
【０００３】
また、ワーク部によって移動に必要な油圧は異なっており、油圧偏差で圧力制御器の出力を制限する調整は困難であった。
【先行技術文献】
【特許文献】
【０００４】
【特許文献１】特開２００６−３２１１５３号公報
【発明の概要】
【発明が解決しようとする課題】
【０００５】
射出成型機用油圧制御装置において、油圧シリンダーストロークエンドでの圧力オーバーシュートの適切な抑制方法を見出すことが課題であった。
【課題を解決するための手段】
【０００６】
請求項１の発明によれば、射出成型機用油圧ポンプ制御において、油圧フィードバックの微分値を圧力制御器の入力に加算し、油圧シリーダーストロークエンドでの油圧オーバーシュートを無くすことを特徴とする射出成型機用油圧ポンプ制御装置。
【０００７】
請求項２の発明によれば、前記圧力制御器において油圧フードバック微分値に閾値を設け、この閾値を超えた値のみを圧力制御器の入力に加算することで安定した動作を得ることを特徴とする請求項１記載の射出成型機用油圧ポンプ制御装置。
【発明の効果】
【０００８】
本発明で射出成型機のシリンダーストロークエンドでの急激な圧力上昇を抑制し、設定圧を超えない制御が可能となる。
【図面の簡単な説明】
【０００９】
【図１】本発明の油圧制御の例（実施例１）。
【発明を実施するための形態】
【００１０】
以下、本発明の実施の形態について、詳細に説明する。
【実施例１】
【００１１】
図１に、本発明で、射出成型機において、型移動や押出し機移動の例を示す。
【００１２】
本発明においては、射出成型機のシリンダーストロークエンドでの急激な圧力上昇を抑制し、設定圧を超えない制御が可能な油圧制御を提供する。
【００１３】
さらに、通常動作時に制限をかけず良好な油圧制御を提供する。
【００１４】
圧力を減少させる時にも制限をかけず良好な油圧制御を提供する。
【００１５】
本発明では、圧力フィードバックの微分値を制御器の入力に加算することで油圧シリンダーストロークエンド時の圧力上昇に応じて自動的に圧力上昇を抑制することが可能となった。また、通常動作時の油圧上昇ではこの微分器の出力を圧力制御器に入力しない様に閾値(比較器)を設けた。さらにこの比較器は、圧力減少方向には信号を出力せず、速やかに圧力を減少させることが可能で位置決め等の制御に有効である。
【産業上の利用可能性】
【００１６】
射出成型機の油圧ポンプ制御を最適に行うことができる。
【符号の説明】
【００１７】
１    油量設定器
２    油圧設定器
３    油圧フィードバック
４    直線ランプ関数発生器
５    Ｓ字ランプ関数発生器
６    油量パターン発生器α
７    圧力偏差パターン発生器β
８    圧力指令パターン発生器γ
９    低い方優先回路
１０  逆転制限値設定
１１  圧力設定フィードファード回路
１２  圧力制御器
１３  油圧ポンプ回転数指令
１４  油圧ポンプモータ制御器
１５  油圧ポンプモータ
１６  油圧ポンプ
１７  射出成型機
１８  油圧フィードバック微分器
１９  比較器
【図１】
2014012377.tif 000003
(57)【要約】      （修正有）【課題】高速で回転するローターとボール放出板を含むカバー、および駆動用モーターなどの装置全体を傾けることなく仰角の大きな投球と俯角の必要なゴロ球放出を可能とするボール発射装置の提供。【解決手段】ローター１２とそれを固定支持するローター軸1に同軸で回転可能なピッチングボール放出板４、ゴロ放出板１１を含むカバー５を固定支持する中空軸２の角度を調整することによりボールの放出角度を調節可能にし、打撃練習、ノック捕球練習、ゴロ捕球練習に使い分け可能とした。【選択図】図１
2014012062.tif 000002
【特許請求の範囲】
【請求項１】
ローターを保持し回転する軸と、ローター円周部でボールを圧縮せしめ放出させる板を保持するカバーの回転軸を中空軸にして軸芯を同一で支持し回転可能とすることによりボール放出角度を容易に変更可能とすることを特徴とする投球装置
【発明の詳細な説明】
【技術分野】
【０００１】
本発明は、野球のバッティング練習および守備練習に使用される操作が容易な投球装置に関するものである。
【背景技術】
【０００２】
投球装置には２個のローターを互いに逆方向に回転させその円周部でボールを挟んで放出する方式のものや、１個の回転するローターの円周部と固定された板の間にボールを通して放出させる方式のものがあり、いずれも、高く遠くにボールを飛ばすには重いモーターとローターを含む本体駆動部を大きく角度を変えてボールを飛ばす必要がある。
操作を容易にするため、荷重と反対方向にバネを用いて引っ張り、バランスをとる方法や荷重と反対方向に錘をつけてバランスをとる方法、またネジの回転をナットのストロークに変換し、このストロークを仰角に変換して負荷を軽減し角度を変える方法がとられる。
【０００３】
しかし、全体的に投球装置の重量が大きくなり、構造が複雑になり大きくなるという欠点があった。
【０００４】
投球装置の使用場所と保管場所は離れていることが多く、投球装置の運搬を考える時、この欠点は使用上大きな障害であり使用場所が制限されるなどの問題があった。
【０００５】
この改善策として、ローターを１個とし、ローターとその円周部でボールを圧縮せしめ放出させる板を保持するカバーをローター軸と同軸で角度変更可能とすることにより、軽量で容易にボールの放出角度を変えることができるようになる。
この方法はモーターやローターの本体重量部の位置を変えることなく放出角度を変えることができるので構造も簡単である。
【先行技術文献】
【特許文献】
【０００６】
【特許文献１】特開平０７−２１３６７３
【発明の概要】
【発明が解決しようとする課題】
【０００７】
重量の大きい本体駆動部の角度変更が大型化、さらに重量化し安全面、操作面で不安定になる点である。
【課題を解決するための手段】
【０００８】
本発明は、ローターを保持し回転する軸と、円周部でボールを圧縮せしめ放出させる板を保持するカバーの回転軸を中空軸にして同軸にすることにより、投入口から投入されたボールをローター円周部とカバーの間で転がらせ、本体全体を傾けることなく放出角度を変えられることを最も主要な特徴とする。
【発明の効果】
【０００９】
本発明の投球装置は容易にボールの放出角度を変えることが出来るので打撃練習、高い飛球の捕球練習に、またローターの回転方向を逆にすることにより反対側の放出口からゴロ球を放出することが可能となる利点がある。
【図面の簡単な説明】
【００１０】
【図１】図１は本投球装置の構造を示した説明図である。（構造図１）
【図２】図２は本投球装置の実施方法を示した説明図である。（実施例１）
【発明を実施するための形態】
【００１１】
図１はボール放出板を支持するカバー５をローター軸１と軸芯を同一にする中空軸２で支持し回転可能とすることによりボール放出角度を容易に変更することを実現した。高速で回転するローター１２、及びローターを保持するローター軸１はベアリングユニット７ａ、７ｂで支持されローター軸の軸端に把持されたプーリー８ａ、ベルト９、プーリー８ｂを介してモーター１０の回転が伝達される。ベアリングユニット７ａはカバー５、角度固定板１４と共に中空軸２のフランジ部に固定される。中空軸２は６ａ、６ｂの無給油ブッシュを介してハウジング３に支持され、ローター軸及び中空軸の軸心を中心として放出板位置の角度調整が可能となる。
【実施例１】
【００１２】
図２は、本発明装置の実施例であって、ａ）は通常のピッチングによる打撃練習時の角度設定である。ｂ）は飛球の捕球練習時の角度設定である。ｃ）はゴロの捕球練習時の角度設定である。
【産業上の利用可能性】
【００１３】
本体駆動部を支持する支持柱を傾斜可能とすることにより軽四商用車への積み込みをも可能とし、野球練習の機動性が高くなる。
【符号の説明】
【００１４】
１    ローター軸
２    中空軸
３    ハウジング
４    ピッチングボール放出板
５    カバー
６ａ  無給油ブッシュ
６ｂ  無給油ブッシュ
７ａ  ベアリングユニット
７ｂ  ベアリングユニット
８ａ  プーリー
８ｂ  プーリー
９    ベルト
１０  モーター
１１  ゴロ放出板
１２  ローター
１３  角度固定ノブ
１４  角度固定板
１５  ボール投入口
【図１】
2014012062.tif 000003
【図２】
2014012062.tif 000004
(57)【要約】【課題】従来技術では達成できなかった効果を有する、免疫優性な共有黒色腫抗原を発現する黒色腫細胞株およびその使用方法の提供。【解決手段】(a) １または２以上の免疫優性な共有黒色腫抗原を発現する黒色腫細胞株を取得し、 (b) 未改変黒色腫細胞株に比べてサイトカインの産生レベルが増加し得るように該黒色腫細胞株を改変し、(c) 黒色腫を有するかあるいは黒色腫が発生する危険のある哺乳動物宿主に該黒色腫細胞株を投与することを含む、黒色腫の治療または予防方法。【選択図】なし【特許請求の範囲】
【請求項１】
本願明細書に記載されるような、免疫優性な共有黒色腫抗原を発現する黒色腫細胞株およびその使用方法。
【発明の詳細な説明】
【技術分野】
【０００１】
【数１−２】
2014012738.tif 000002
【背景技術】
【０００２】
【数１−３】
2014012738.tif 000003
【０００３】
【数２】
2014012738.tif 000004
【０００４】
【数３】
2014012738.tif 000005
【０００５】
【数４】
2014012738.tif 000006
【０００６】
【数５】
2014012738.tif 000007
【発明の概要】
【課題を解決するための手段】
【０００７】
本発明によって以下が提供される：
【０００８】
【数３０】
2014012738.tif 000008
【０００９】
【数３１】
2014012738.tif 000009
【００１０】
【数６−１】
2014012738.tif 000010
【発明を実施するための形態】
【００１１】
【数６−２】
2014012738.tif 000011
【００１２】
【数７】
2014012738.tif 000012
【００１３】
【数８】
2014012738.tif 000013
【００１４】
【数９】
2014012738.tif 000014
【００１５】
【数１０】
2014012738.tif 000015
【００１６】
【数１１】
2014012738.tif 000016
【００１７】
【数１２】
2014012738.tif 000017
【００１８】
【数１３】
2014012738.tif 000018
【００１９】
【数１４】
2014012738.tif 000019
【００２０】
【数１５】
2014012738.tif 000020
【００２１】
【数１６】
2014012738.tif 000021
【００２２】
【数１７】
2014012738.tif 000022
【００２３】
【数１８】
2014012738.tif 000023
【００２４】
【数１９】
2014012738.tif 000024
【００２５】
【数２０】
2014012738.tif 000025
【００２６】
【数２１】
2014012738.tif 000026
【００２７】
【数２２】
2014012738.tif 000027
【００２８】
【数２３】
2014012738.tif 000028
【００２９】
【数２４】
2014012738.tif 000029
【００３０】
【数２５】
2014012738.tif 000030
【００３１】
【数２６】
2014012738.tif 000031
【００３２】
【数２７】
2014012738.tif 000032
【００３３】
【数２８】
2014012738.tif 000033
【００３４】
【数２９】
2014012738.tif 000034